(57)【要約】【課題】生体情報測定装置に関するもので、センサベースに対してトランスミッタを容易に装着することができるようにする。【解決手段】上面に開口部６を有し内部にセンサユニット９を収納したセンサベース４と、センサベース４の開口部６に装着されるトランスミッタ５と、を備えている。トランスミッタ５には、センサユニット側の面の外周部分に円環状の係止部２１が配置され、センサベース４の開口部６には、係止部２１が係止される複数の係止爪体２２が所定間隔で配置され、係止爪体２２には、複数の係止爪３３が所定間隔で配置されている。【選択図】図３
2020151223.tif 000002
【特許請求の範囲】
【請求項１】
上面に開口部を有し、内部にセンサユニットを収納したセンサベースと、
前記センサベースの前記開口部に装着されると共に、前記センサユニットに接続される制御部、前記制御部に接続された通信部および記憶部を有するトランスミッタと、
を備え、
前記トランスミッタには、前記センサユニット側の面の外周部分に円環状の係止部が配置され、
前記センサベースの前記開口部には、前記係止部が係止される複数の係止爪体が所定間隔で配置され、
前記係止爪体には、複数の係止爪が所定間隔で配置されている、
生体情報測定装置。
【請求項２】
前記係止爪に対応する前記センサベースの部分には、前記係止爪を可動させる開孔が形成されている、
請求項１に記載の生体情報測定装置。
【請求項３】
前記係止爪体は、前記センサベースの前記開口部に、略１２０度の間隔で配置されている、
請求項１または２に記載の生体情報測定装置。
【発明の詳細な説明】
【技術分野】
【０００１】
本発明は、例えば、持続血糖測定を行う生体情報測定装置に関するものである。
【背景技術】
【０００２】
従来の生体情報測定装置の構成は、以下のような構成となっていた。
すなわち、上面に開口部を有し内部にセンサユニットを収納したセンサベースと、前記センサベースの前記開口部に装着されると共に、前記センサユニットに接続される制御部、前記制御部に接続された通信部および記憶部を有するトランスミッタと、を備え、前記トランスミッタには、センサユニット側の面の外周部分に複数の係止部が所定間隔で配置され、前記センサベースの開口部には、前記係止部が係止される複数の係止爪体が所定間隔で配置される（例えば、下記特許文献１）。
【先行技術文献】
【特許文献】
【０００３】
【特許文献１】特表２００８−５０６４６８号公報
【発明の概要】
【発明が解決しようとする課題】
【０００４】
上記従来例においては、まず、センサベースを人体に装着し、その後、このセンサベース上にトランスミッタを装着するのであるが、このトランスミッタ装着作業は極めて面倒なものであった。すなわち、この従来例においては、人体に装着したセンサベースに対してトランスミッタの位置決めを行い、この状態でトランスミッタをセンサベースに装着する必要がある。具体的には、センサベースの係止爪に、トランスミッタの係止部を位置決めし、この状態でトランスミッタを押し込む作業となるが、すでにセンサベースは人体に装着されており、この状態でトランスミッタをセンサベースに装着するためには、トランスミッタを指で摘まみ、その係止部を、センサベースの係止爪に位置決めを行い、その後、トランスミッタをセンサベースに押し込むことになる。
【０００５】
しかしながら、センサベースは、すでに人体に装着されているので、その係止爪にトランスミッタの係止部を位置決めする際に、その両者が位置決めされた状態を容易に目視確認することが困難な状態になることが多く、この結果として、トランスミッタの装着作業は極めて面倒なものになってしまうのであった。
そこで、本発明は、センサベースに対してトランスミッタを容易に装着することができるようにすることを目的とするものである。
【課題を解決するための手段】
【０００６】
そして、この目的を達成するために、本発明は、上面に開口部を有し内部にセンサユニットを収納したセンサベースと、前記センサベースの前記開口部に装着されると共に、前記センサユニットに接続される制御部、前記制御部に接続された通信部および記憶部を有するトランスミッタと、を備えている。前記トランスミッタには、前記センサユニット側の面の外周部分に円環状の係止部が配置されている。前記センサベースの開口部には、前記係止部が係止される複数の係止爪体が所定間隔で配置され、前記係止爪体には複数の係止爪が所定間隔で配置された構成とし、これにより所期の目的を達成するものである。
【発明の効果】
【０００７】
以上のように、本発明において、トランスミッタには、センサユニット側の面の外周部分に円環状の係止部を配置したので、トランスミッタを摘まんでセンサベースに合致させれば、センサベースの係止爪体にトランスミッタの係止部が確実に合致した状態を容易に作り出すことができる。そして、この状態でトランスミッタをセンサベースに押し込めば、センサベースの係止爪体にトランスミッタの係止部が確実に係合し、容易にトランスミッタの装着作業を完了することができる。
【図面の簡単な説明】
【０００８】
【図１】本発明の実施の形態１に係る生体情報測定装置の使用状態を示す斜視図。
【図２】図１の生体情報測定装置の斜視図。
【図３】図１の生体情報測定装置の分解斜視図。
【図４】図１のセンサベースの分解斜視図。
【図５】図１のトランスミッタの斜視図。
【図６】図１のトランスミッタの正面図。
【図７】図１のトランスミッタの分解斜視図。
【図８】図１の生体情報測定装置の電気回路図。
【図９】図１のセンサベースを装着するインサータを示す分解斜視図。
【図１０】図９のインサータの斜視図。
【図１１】図９のインサータの断面図。
【図１２】図９のインサータの一部拡大断面図。
【図１３】図１のセンサベースにトランスミッタを装着する状態を示す斜視図。
【図１４】図１のセンサベースにトランスミッタを装着する状態を示す正面図。
【図１５】図１のセンサベースにトランスミッタを装着する状態を示す正面図。
【図１６】図１のセンサベースにトランスミッタを装着する状態を示す正面図。
【図１７】図１のセンサベースの上方からの斜視図。
【図１８】図１７のセンサベースの一部拡大斜視図。
【図１９】図１の生体情報測定装置の断面図。
【図２０】図１の生体情報測定装置の平面図。
【図２１】図１のセンサベースの平面図。
【図２２】図２０のＡ−Ａ部分の断面図。
【図２３】図２０のＡ−Ａ部分の断面図。
【図２４】図２０のＡ−Ａ部分の断面図。
【図２５】図１のセンサベースにトランスミッタを装着する状態を示す平面図。
【図２６】図１のセンサベースの平面図。
【図２７】図１のセンサベースの平面図。
【図２８】図１のセンサベースの平面図。
【図２９】図１の生体情報測定装置の一部拡大断面図。
【図３０】図１の生体情報測定装置の斜視図。
【図３１】図１の生体情報測定装置の正面図。
【図３２】図１の生体情報測定装置における底面部分の構成を示す平面図。
【図３３】図１の生体情報測定装置を取り外す状態を示す正面図。
【図３４】図１の生体情報測定装置のトランスミッタを取り外す状態を示す斜視図。
【図３５】図１の生体情報測定装置のトランスミッタを取り外す状態を示す斜視図。
【図３６】図１の生体情報測定装置の断面図。
【図３７】図３６のＡ部分の拡大断面図。
【図３８】図１のセンサベースの平面図。
【図３９】図１のセンサベースの斜視図。
【図４０】図１のセンサベースの斜視図。
【図４１】図１のセンサベースの平面図。
【図４２】図１のセンサベースの断面図。
【図４３】図１のセンサベース内の配置関係を示す平面図。
【図４４】図１のセンサベース内の部品を示す斜視図。
【図４５】図１のセンサベース内の部品を示す斜視図。
【図４６】図１のセンサベース内の部品を示す分解斜視図。
【図４７】図１のセンサベース内の部品を示す平面図。
【図４８】図１のセンサベースのセンサユニットを示す正面図。
【図４９】図１のセンサベースのセンサユニットを示す正面図。
【図５０】図１のセンサベースにおいて他のセンサユニットを示す正面図。
【図５１】図１のセンサベースにおいて他のセンサユニットを示す正面図。
【図５２】図１のセンサベースのセンサユニットを示す斜視図。
【図５３】図１のセンサベースにおいてセンサユニットの取付状態を示す斜視図。
【図５４】図１のセンサベースにおいてセンサユニットの取付状態を示す斜視図。
【図５５】図１のセンサベースにおいてセンサユニットの取付状態を示す斜視図。
【図５６】図１のセンサベースにおいてセンサユニットの取付状態を示す平面図。
【図５７】図１のセンサベースにおいてセンサユニットの取付状態を示す平面図。
【図５８】図１のセンサベースにおいてセンサユニットの取付状態を示す断面図。
【図５９】図１のセンサベースの平面図。
【図６０】図１のセンサベースの底面図。
【発明を実施するための形態】
【０００９】
（実施の形態１）
以下に、本発明の一実施形態を、添付図面を用いて説明する。
図１は、生体情報測定装置１を示している。生体情報測定装置１は、人体２の腕３に装着され、例えば、血糖値を持続的に測定する状態としている。
生体情報測定装置１は、図２〜図７に示すように、センサベース４と、これに装着されるトランスミッタ５により構成されている。センサベース４は、図３に示すように、上面に開口部６を有する円形のものであって、この開口部６に円形のトランスミッタ５が着脱自在に装着されるようになっている。
【００１０】
また、センサベース４の底面には、図４に示すように、上方の両面テープ７と下方の皮膚テープ８が設けられている。つまり、皮膚テープ８は、両面テープ７によってセンサベース４の底面に接着された状態となっている。このため、図１に示すように、人体２にセンサベース４を装着する場合には、皮膚テープ８が人体２に接着されるようになっている。
【００１１】
そして、人体２に装着されたセンサベース４の開口部６にトランスミッタ５が装着されると、図１における生体情報測定装置１の装着が完了する。
この生体情報測定装置１の装着作業については、下記説明でさらに明らかにしていくが、その前に、センサベース４とトランスミッタ５の構成について説明する。
センサベース４内には、図４、図８に示すように、センサユニット９と電池１０と温度センサ１１が収納されている。センサユニット９の一部はセンサベース４の底面を貫通し、人体２内に挿入されて血糖値を持続的に測定する。温度センサ１１は、人体２の温度を検出し、トランスミッタ５内の制御部１２で行う血糖値の算出時に温度補正がなされる。そして、算出された血糖値は、記憶部１３に記録され、この記録された血糖値は通信部１４を介して、携帯端末１５に読み出すことができる。
【００１２】
トランスミッタ５は、図５から図７に示すように、円盤状となっており、制御部１２、記憶部１３、通信部１４を搭載した基板１６は、このトランスミッタ５にモールドされた状態となっている。基板１６の下面側には、図５に示すように、電極１７が同心円状に複数本配置されており、これらは、トランスミッタ５の下面側に露出した状態となっており、この電極１７を介して図８に示すセンサベース４の電極１８と電気的な接続が行われるようになっている。
【００１３】
また、このような電極１７〜１８間の電気的な接続は、図３、図４に示すように、多極接点１９を介して行われるようになっている。つまり、多極接点１９がセンサベース４内に配置され、この多極接点１９の上面側に図８に示すトランスミッタ５の電極１７が接触し、多極接点１９の下面側に図８に示すセンサベース４の電極１８が接触し、これによりトランスミッタ５とセンサベース４の電気的な接続状態が完成する。
【００１４】
なお、センサベース４内において、図３に示すように、電池１０や多極接点１９の外周には、円環状のガスケット２０が配置され、このガスケット２０の下面側はセンサベース４に当接し、また、ガスケット２０の上面側にはトランスミッタ５の電極１７（図５参照）の外周部分が圧接され、これによりセンサベース４内の水密対策が行われるようになっている。
【００１５】
トランスミッタ５の外周部には、図５、図６に示すように、円環状の係止部２１が設けられており、この係止部２１は、図３に示すように、センサベース４内の３ヶ所に均等（１２０度）に配置された係止爪体２２に係合される。これによりトランスミッタ５がセンサベース４の開口部６を覆うように装着され、また、このトランスミッタ５の下面がガスケット２０の上面に圧接されることでセンサベース４内の水密が確保される。
【００１６】
センサベース４は、図９から図１２に示すように、インサータ２３の下部に保持され、さらにこのインサータ２３の下部にはセンサベース４も覆うようにキャップ２４が装着されている。
この状態で、インサータ２３の下部に設けた鍔２５にキャップ２４の上部に設けたフランジ２６を熱溶着させると、インサータ２３内およびキャップ２４内が密封される。この状態で電子線を照射することで、センサベース４、特にセンサユニット９およびセンサユニット９を人体２内に挿入するためのインサータ２３のガイド針２７（図１１参照）、などを滅菌処理した状態としている。
【００１７】
なお、キャップ２４内には、乾燥剤２８も収納させられており、乾燥剤２８とセンサベース４間には乾燥剤保持部材２９が設けられている。
また、図１１に示すように、センサベース４はインサータ２３内に保持された状態で配置され、そのとき、センサベース４のセンサユニット９はガイド針２７内に配置された状態となっている。したがって、インサータ２３を用いてセンサベース４を図１に示すように人体２に装着する時には、使用者は、先ず、インサータ２３からキャップ２４を回してキャップ２４のフランジ２６部分を破断させ、これによりインサータ２３からキャップ２４を取り外す。その状態で、使用者は、インサータ２３を、センサベース４を装着する場所に移動させ、インサータ２３を人体２に対して押し下げると、ガイド針２７によってセンサユニット９の下部が人体２内に挿入される。
【００１８】
そして、この押し下げ動作により、ラックギア３０が下方へと押し下げられると、ピニオンギア３１が時計方向に回転し、これにより、ガイド針２７を保持したラックギア３２が上昇し、センサベース４の人体２への装着が完了する。
この時、ガイド針２７の下部はインサータ２３内に確実に収納され、下方からその一部が望むことはなく、安全な装着作業が行われる。この装着作業で、図４に示した皮膚テープ８が人体２に押圧され、これによりセンサベース４は人体２と確実に装着された状態となる。
【００１９】
次に、このように人体２に装着されたセンサベース４に対して、図１３〜図１６に示すように、トランスミッタ５を装着する。
具体的には、図１３に示すように、トランスミッタ５を指で摘まんでセンサベース４の開口部６に当接させる。次に、図１４〜図１６に示すように、指でトランスミッタ５をセンサベース４側に押し込めば、簡単に、トランスミッタ５をセンサベース４に装着することができる。そのような作業を容易に行わせるようにするために、図１７〜図２９に示す工夫を行っている。
【００２０】
先ず、係止爪体２２は、図１７に示すように、センサベース４のガスケット２０の外周部分において等間隔で３ヶ所に配置されている。各係止爪体２２は、左右方向に２つの係止爪３３を有しており、しかも、この係止爪３３の下方には、図１８に示すように、開孔３４が配置されている。このため、左右の係止爪３３は、トランスミッタ５の係止部２１（図１９参照）に押された際には、外周方向に弾性で変位し、その後、内周方向へと容易に変位することができるものとなる。もちろん、この開孔３４は、ガスケット２０の外周方向に位置するものであって、ガスケット２０の内方に存在する各部品への水密対策が阻害されることはない。
【００２１】
図２０〜図２８は、このようにトランスミッタ５をセンサベース４に装着する作業を示したものであり、図２０、図２１のＡ−Ａでの断面図が、図２２〜図２４となっている。
先ず、図２２に示すように、センサベース４の開口部６にトランスミッタ５を当接した状態から、図２５に示すように、使用者がトランスミッタ５の外周の一部（例えば、図２６のＡ点）を押せば、図２６のＡ点では、図２３に示すように、トランスミッタ５の外周が下方に滑り落ち、トランスミッタ５の係止部２１がセンサベース４の係止爪３３に係合する。
【００２２】
その時、図２６に示すＢ点、Ｃ点に存在する係止爪体２２でＡ点に近い側の係止爪３３には、トランスミッタ５の係止部２１が乗りかかった状態となっている。この状態でさらに力を加えると、Ｂ点、Ｃ点の係止爪３３が外方に変位させられ、これによりトランスミッタ５はさらに下方へと進行し、次に、Ｂ点、Ｃ点の係止爪３３よりも遠方側の係止爪３３も外方へと変位させられ、その結果として、図２３〜図２４に示すように、トランスミッタ５はセンサベース４内に簡単に装着することができる。
【００２３】
図２７、図２８は、トランスミッタ５をセンサベース４の開口部６に図２６とは異なる位置に置いた図である。トランスミッタ５をセンサベース４の開口部６のどの部分においたとしても、使用者がトランスミッタ５を押し込めば、押し込んだ部分（図２７のＡ部分、図２８のＡ部分）においてはトランスミッタ５が係止爪３３の前方側へと滑るように移動して係止爪３３の下方へと移動する。そして、３ヶ所に設けた係止爪体２２の内で２ヶ所（Ｂ点、Ｃ点）の係止爪３３にトランスミッタ５の係止部２１が乗りかかった状態となる。この状態でさらに力を加えると、Ｂ点、Ｃ点の係止爪３３が外方に変位させられ、容易にトランスミッタ５のセンサベース４への装着作業が行える。
【００２４】
つまり、各係止爪体２２は、複数個の係止爪３３を有しているが、トランスミッタ５の押し下げ時には、２ヶ所（Ｂ点、Ｃ点）の係止爪３３にトランスミッタ５の係止部２１が乗りかかった状態となる。そして、乗りかかった状態の係止爪３３から１つずつ、係止爪３３の外方への変位が行われる。このため、小さな力で係止爪体２２を外方へと変位させてトランスミッタ５のセンサベース４への装着作業が行われることになる。
【００２５】
この装着作業は小さな力でスムーズにトランスミッタ５をセンサベース４に装着できるので、つまり、トランスミッタ５をセンサベース４に勢いよく装着できるので、係止爪３３がトランスミッタ５の係止部２１に当たり、パチッと音が発せられ、この音で使用者はトランスミッタ５の装着完了を確認できるものとなる。
しかも、この装着作業が完了した時には、３ヶ所設けた係止爪体２２の複数の係止爪３３でトランスミッタ５はセンサベース４に保持された状態となり、この保持状態が確実に維持できる。また、図２９に示すように、トランスミッタ５の下端部がガスケット２０の頂部に押し当てられるので、ガスケット２０による水密構成も確実に維持できるものとなる。
【００２６】
図３０から図３３は、センサベース４の人体２への装着部分について説明したものである。
センサベース４の下面には上述のごとく、両面テープ７、次に皮膚テープ８が設けられており、これら２枚がこの実施形態では、接着層となっている。本実施形態においては、両面テープ７の上下面には接着面が形成され、また、皮膚テープ８は下面のみ接着面が形成されている。
【００２７】
また、図３１〜図３２に示すように、皮膚テープ８の外形はセンサベース４の外形よりも小さく、さらに、両面テープ７は皮膚テープ８の外形よりも小さくなっている。つまり、皮膚テープ８の上面で両面テープ７の外周部分にはセンサベース４に対する非接着面８ａが設けられている。そして、非接着面８ａは、図３１に示すように、センサベース４の下面の外周部分に対向させている。
【００２８】
このため、センサベース４を人体２から取り外す場合に、図３３に示すように、センサベース４の外周部分の人体２を押し下げれば、皮膚テープ８とセンサベース４の間に隙間３５が形成され、この隙間３５に指３６の爪３７を差し込めば、そこを起点としてセンサベース４を人体２から極めて容易に引き剥がすことができる。
このようなセンサベース４の引き剥がし作業を行わない場合には、皮膚テープ８の外周はセンサベース４の外周内に位置し露出していないので、日常作業時に不用意に皮膚テープ８を剥がすこともなく、通常状態ではセンサベース４は人体２に皮膚テープ８と両面テープ７によって確実に装着された状態となる。
【００２９】
次に、人体２から取り外したセンサベース４からトランスミッタ５を引き剥がす作業について、図３４〜図３９を用いて説明する。
先ず、センサベース４において、開口部６の開口縁の一部には、これらの図に示すように、取り外し凹部３８が設けられている。
本実施形態において特徴的なのは、図３８に示すように、この取り外し凹部３８は左右の係止爪体２２間に設けられ、これら左右の係止爪体２２が有する左右の係止爪３３のうち、前記取り外し凹部３８側のものは、図３６、図３７に示すように、トランスミッタ５の係止部２１への係合量を減少させる傾斜面３９を設けている。
【００３０】
係止爪３３の傾斜面３９は、前記取り外し凹部３８側が上方となる傾斜を設けているので、係止爪３３によるトランスミッタ５の係止部２１への係合量が減少した状態となっている。
このため、図３４、図３５に示すように、取り外し凹部３８において、指３６でトランスミッタ５を持ち上げれば、係合量の少ない係止爪３３を外方へと変位させながら容易にトランスミッタ５をセンサベース４から取り外すことができる。この時、図３９に示すように、取り外し凹部３８の対向側には、１つの係止爪体２２が存在しており、ここを係止点としてトランスミッタ５の取り外し凹部３８側を持ち上げることができ、極めて操作性のよいものとなる。
【００３１】
つまり、本実施形態では、使用済みのセンサベース４からトランスミッタ５を取り外し、このトランスミッタ５を再利用しようとしている。トランスミッタ５には、電池１０を設けておらず、電池１０はセンサベース４内に設けているので、センサベース４が新しいものへと交換されれば、そこに配置された電池１０でトランスミッタ５の各部は確実に動作することになる。
【００３２】
次に、センサベース４内における電池１０やセンサユニット９などの配置について、図４０〜図６０を用いて説明する。
上述のように、センサユニット９、電池１０、多極接点１９などは、ガスケット２０内に配置されている。
電池１０とセンサユニット９は、図４１の配線基板４０を用いて接続される。また、図４１、図４２に示すように、配線基板４０の端子に多極接点１９の下部を当接させることで、図８に示す電気的な接続状態を構成しようとしている。具体的に説明すると、図４３〜図４７に示すように、電池１０は配線基板４０の上部に、例えばＹ軸方向に２個配置し、配線基板４０を用いて直列接続された状態とする。
【００３３】
つまり、一方の電池１０のマイナス極は、配線基板４０に導電性テープ４０ａ（図４６参照）で接続し、他方の電池１０のプラス極は配線基板４０に導電性テープ４０ｂ（図４６参照）で接続し、その状態で、図４４に示すように、配線基板４０の折り返しパターン４１で一方のプラス極と他方のマイナス極を直列接続する。これにより、２個の電池１０は直列接続された状態となる。この状態で、センサユニット９と多極接点１９は、２個の電池１０の間で直交するＸ軸方向に配置され、配線基板４０に電気的に接続される。
【００３４】
センサユニット９は、図４８、図４９に示すように、縦方向の板状体で、センサベース４の配線基板４０に接続される上方の接続部４２と、この接続部４２から側方に延長され、その後、下方に延長された人体への挿入部４３とを有し、挿入部４３で、前記接続部４２から側方への延長部分に、熱伝達抑制凹部４４を設けている。
前記接続部４２には、一面側に一つの電極４５、そして、他面側に、図５２に示すように、二つの電極４６、４７が配置されている。また、配線基板４０には、図４７に示すように、それぞれの電極４５〜４７に対応して、電極４８、電極４９、電極５０が設けられている。
【００３５】
さらに、センサベース４には、図５３、図５４に示すように、スリット状の開口部５１が設けられているので、これらの図に示すように、センサユニット９を開口部５１からセンサベース４内へと挿入すれば、図５６〜図５８に示すように、センサユニット９の電極４５と配線基板４０の電極４８が、対応することとなる。また、センサユニット９の電極４６と配線基板４０の電極４９、センサユニット９の電極４７と配線基板４０の電極５０に対応することとなる。
【００３６】
その状態は、図５８に示すように、配線基板４０の電極４８〜５０に対して、センサユニット９の電極４５〜４７は、上方に直交した状態で配置されたものとなる。したがって、各電極部分において、図５８に示すように、紫外線硬化型の導電性接着剤５２を塗布し、次の工程で他の部分も含め一括紫外線照射による固化をさせることになる。
また、図４７に示すように、前記配線基板４０における電極４９と電極５０間には、隙間５３が形成され、また電極４８と電極５０の間にも隙間５４が形成され、さらに、電極４９と電極４８の部分には、くぼみ５５が形成されている。
【００３７】
そして、センサベース４には、図５７に示すように、隙間５３には突起５６が挿入され、隙間５４には突起５７が挿入され、くぼみ５５部分には突起５８が挿入される。これにより、配線基板４０の電極４８〜５０の配置位置を安定化させると共に、前記導電性接着剤５２が隣の電極へと不用意に移動することを防止している。
前記配線基板４０の折り返しパターン４１は、図４４に示すように、２つの電池１０に接続されているが、この接続は紫外線硬化型の導電性接着剤５２で行っている。
【００３８】
ここで重要なことは、紫外線照射をすることで固化する導電性接着剤５２が、図４３、図５９に示すように、電池１０の導電性接着剤５２部分とセンサユニット９の導電性接着剤５２部分で直交する部分に配置され、平面視の状態で所定間隔離して配置されていることである。
つまり、紫外線照射時に、平面視の状態で各導電性接着剤５２部分に重なりが存在すると、紫外線照射による導電性接着剤５２の固化が適切に行われないので、本実施形態では、上述した電池１０とセンサユニット９の導電性接着剤５２部分を、平面視の状態で所定間隔離して配置しているのである。
【００３９】
また、上述したように、水密状態を維持するためのガスケット２０は、これら電池１０やセンサユニット９の外方に配置し、このガスケット２０も電池１０やセンサユニット９とは重ならない状態としている。
つまり、ガスケット２０も紫外線硬化型の樹脂５９により形成されたものであるので、一度の紫外線照射により、ガスケット２０の完成、および電池１０やセンサユニット９の電気的接続が行われることになる。
【００４０】
また、図５３〜図５５に示したように、センサベース４にはセンサユニット９を下方から挿入するためのスリット状の開口部５１を設け、ここにも図５５に示すように、紫外線硬化型の樹脂５９を塗布する。そして、上記ガスケット２０の完成、電池１０やセンサユニット９の電気的接続、を行うための紫外線照射時に、センサベース４の下方からも紫外線を照射することで、この樹脂５９を固化させ、開口部５１部分の封止を行うようにしている。
【００４１】
なお、前記センサユニット９の挿入部４３は、図１１の状態では、図４９に示すようにガイド針２７内に配置された状態となっている。つまり、ガイド針２７は、センサユニット９側が開口した断面Ｕの字状となっているので、この開口からセンサユニット９の挿入部４３がガイド針２７内に配置されることになる。センサユニット９の挿入部４３は、人体２に挿入され血糖値を検出する極めてデリケートなものであり、ガイド針２７に保護された状態で人体２へと挿入されるものである。このため、ガイド針２７の挿入時にこのガイド針２７からセンサユニット９側に外れないようにするために、挿入部４３で下方への延長部は、上方よりも下方を接続部４２とは反対側に傾斜させている。
【００４２】
このようにすれば、センサユニット９の挿入部４３は、ガイド針２７に適切に保護された状態となるので、ガイド針２７と共に人体２にスムーズに挿入させることができる。
なお、センサユニット９の挿入部４３とガイド針２７の当接面積が大きすぎると、ガイド針２７を人体２外へと引き抜くときに、ガイド針２７によってセンサユニット９の挿入部４３部分を擦りつけることによるセンサユニット９の損傷が発生するおそれがある。
【００４３】
つまり、センサユニット９の挿入部４３は、その外周を保護膜で覆っているのであるが、この保護膜が損傷するのを防止する必要がある。
そこで、図５０、図５１に示すように、センサユニット９の挿入部４３の下方部分で、前記接続部４２とは反対側の部分に、前記接続部４２とは反対側に突出する突起６０を設けることが好ましい。つまり、このように突起６０を設ければ、ガイド針２７に対して当接するのは突起６０部分であって、この突起６０部分は保護対象外部分であるので、ここがガイド針２７の引き抜き作業時にガイド針２７に擦れても何の問題も発生させない。
【００４４】
以上の構成において、本実施形態における主な特徴点について説明する。
＜特徴点１＞
以上のように本実施形態は、上面に開口部６を有すると共に、内部にセンサユニット９を収納したセンサベース４と、前記センサベース４の前記開口部６に装着されると共に、前記センサユニット９に接続される制御部１２、前記制御部１２に接続された通信部１４および記憶部１３を有するトランスミッタ５と、を備え、前記トランスミッタ５には、センサユニット９側の面の外周部分に円環状の係止部２１を配置し、前記センサベース４の開口部６には、前記係止部２１が係止される複数の係止爪体２２を所定間隔で配置したので、センサベース４に対するトランスミッタ５の装着作業が極めて容易なものとなる。
【００４５】
すなわち、本実施形態においては、トランスミッタ５のセンサユニット９側の面の外周部分に円環状の係止部２１を配置したので、トランスミッタ５を摘まんでセンサベース４に合致させれば、センサベース４の係止爪体２２にトランスミッタ５の係止部２１が確実に合致した状態を容易に作り出すことができ、この状態でトランスミッタ５をセンサベース４に押し込めば、センサベース４の係止爪体２２にトランスミッタ５の係止部２１が確実に係合し、容易にトランスミッタ５の装着作業を完了することができる。
【００４６】
＜特徴点２＞
また、本実施形態は、上面に開口部６を有すると共に、内部にセンサユニット９を収納したセンサベース４と、前記センサベース４の前記開口部６に装着されると共に、前記センサユニット９に接続される制御部１２、前記制御部１２に接続された通信部１４および記憶部１３を有するトランスミッタ５と、を備え、前記トランスミッタ５の、センサユニット９側の面の外周部分に円環状の係止部２１を配置し、前記センサベース４の開口部６には前記係止部２１が係止される複数の係止爪体２２を、所定間隔で配置すると共に、これら複数の係止爪体２２間で前記開口部６の開口縁には前記トランスミッタ５とは反対側に凹んだ取り外し凹部３８を形成したので、トランスミッタ５の取り外し作業が容易に行えるものとなる。
【００４７】
すなわち、本実施形態においては、センサベース４の開口部６に所定間隔で複数の係止爪体２２が配置され、また、トランスミッタ５の外周部には円環状の係止部２１が配置されているので、トランスミッタ５はセンサベース４の開口部６に複数の係止爪体２２部分で、複数点で係合された状態となっている。このため、センサベース４の開口部６において、係止爪体２２間部分に形成した取り外し凹部３８に、たとえば指３６をかければ、その部分からトランスミッタ５をセンサベース４の開口部６上に容易に取り外すことができる。
【００４８】
つまり、指３６をかけた部分においては、トランスミッタ５の係止部２１は、センサベース４の係止爪体２２に係止されていない部分であり、この部分からトランスミッタ５をセンサベース４上に引き上げるのは極めて容易に行え、しかも、トランスミッタ５が持ち上がっていく状態においては、センサベース４の係止爪体２２に係止されていたトランスミッタ５の係止部２１も斜めに持ち上げられた状態が形成されており、この状態においては、係止爪体２２によるトランスミッタ５の係止部２１に対する係止力も小さくなり、この結果として、たとえばわずか一本の指３６による持ち上げで、トランスミッタ５をセンサベース４から容易に取り外すことが可能となるものである。
【００４９】
＜特徴点３＞
さらに、本実施形態では、センサベース４の人体２への装着面に、このセンサベース４を人体２に装着するための接着層（両面テープ７および皮膚テープ８）を設け、この接着層の外形を前記センサベース４の外形よりも小さくすると共に、この接着層の外周部分で、前記センサベース４側の面には、非接着面８ａを設けたので、センサベース４が人体２に対して安定した状態で保持されるようにすることができる。
【００５０】
すなわち、本実施形態においては、センサベース４を人体２に装着するための接着層はセンサベース４の外形よりも小さくなっているので、この接着層の外周部に剥がれ現象が発生しにくく、その結果として、接着層によってセンサベース４は人体２に対して安定した状態で保持される。
また、本実施形態においては、この接着層の外周部分で、センサベース４側の面には非接着面８ａを設けたので、センサベース４を人体２から引き剥がす時には、接着層の外周部分でセンサベース４側の非接着面８ａ部分に引き剥がし用の隙間３５を作ることができ、その結果として、センサベース４を人体２から容易に引き剥がすこともできる。
【００５１】
＜特徴点４＞
さらに本実施形態は、センサベース４に装着されるセンサユニット９は、縦方向の板状体で、上方の接続部４２と、この接続部４２から側方に延長され、その後、下方に延長された人体への挿入部４３とを有し、前記挿入部４３で、前記接続部４２から側方への延長部分に、熱伝達抑制凹部４４を設けたので、血糖値の算出が適切に行われるようになる。
【００５２】
すなわち、本実施形態のセンサユニット９は、縦方向の板状体で、上方の接続部４２と、この接続部４２から側方に延長され、その後、下方に延長された人体への挿入部４３とを有し、前記挿入部４３で、前記接続部４２から側方への延長部分に、熱伝達抑制凹部４４を設けたので、まずは、接続部４２に与えられる熱は、次の側方への延長部に形成した熱伝達抑制凹部４４によって下方の挿入部４３へと伝達されにくくなり、その結果として、挿入部４３においては適切な血糖値の検出が行われ、その後、制御部１２で適切な血糖値の算出が行われることになるのである。
【００５３】
＜特徴点５＞
また、本実施形態は、センサユニット９を上面に開口部６を有するセンサベース４内に収納させると共に、このセンサベース４内に電池１０を収納させ、また、センサベース４の開口部６にはトランスミッタ５を装着し、このトランスミッタ５には、制御部１２、通信部１４、記憶部１３を収納させた。つまり、電池１０をセンサユニット９と共にセンサベース４に収納させることで、電池１０として長寿命品を使用することができ、また、制御部１２、通信部１４、記憶部１３を収納したトランスミッタ５は繰り返して使用することで、使用者の経済的負担を抑制しようとするものである。
【００５４】
また、センサベース４とトランスミッタ５間の水密状態を維持するために設けた環状のガスケット２０を紫外線硬化型の樹脂５９で形成し、さらにセンサユニット９の接続部４２と配線基板４０の接続および電池１０と配線基板４０の接続は紫外線硬化型の導電性接着剤５２で行う構成としている。そして、前記ガスケット２０と導電性接着剤５２部分はセンサベース４を平面視した状態で、所定間隔離して配置した構成としたので、一度の紫外線照射作業でこれらの構成が完成状態となり、製造工程が簡素化され、この点からも使用者の経済的負担を抑制できるものとなる。
【産業上の利用可能性】
【００５５】
本発明は、例えば、持続血糖測定を行う生体情報測定装置として、広く活用が期待されるものである。
【符号の説明】
【００５６】
１      生体情報測定装置
２      人体
３      腕
４      センサベース
５      トランスミッタ
６      開口部
７      両面テープ
８      皮膚テープ
８ａ    非接着面
９      センサユニット
１０      電池
１１      温度センサ
１２      制御部
１３      記憶部
１４      通信部
１５      携帯端末
１６      基板
１７      電極
１８      電極
１９      多極接点
２０      ガスケット
２１      係止部
２２      係止爪体
２３      インサータ
２４      キャップ
２５      鍔
２６      フランジ
２７      ガイド針
２８      乾燥剤
２９      乾燥剤保持部材
３０      ラックギア
３１      ピニオンギア
３２      ラックギア
３３      係止爪
３４      開孔
３５      隙間
３６      指
３７      爪
３８      取り外し凹部
３９      傾斜面
４０      配線基板
４０ａ    導電性テープ
４０ｂ    導電性テープ
４１      折り返しパターン
４２      接続部
４３      挿入部
４４      熱伝達抑制凹部
４５，４６，４７  電極
４８，４９，５０  電極
５１      開口部
５２      導電性接着剤
５３      隙間
５４      隙間
５５      くぼみ
５６，５７，５８  突起
５９      樹脂
６０      突起
【図１】
2020151223.tif 000003
【図２】
2020151223.tif 000004
【図３】
2020151223.tif 000005
【図４】
2020151223.tif 000006
【図５】
2020151223.tif 000007
【図６】
2020151223.tif 000008
【図７】
2020151223.tif 000009
【図８】
2020151223.tif 000010
【図９】
2020151223.tif 000011
【図１０】
2020151223.tif 000012
【図１１】
2020151223.tif 000013
【図１２】
2020151223.tif 000014
【図１３】
2020151223.tif 000015
【図１４】
2020151223.tif 000016
【図１５】
2020151223.tif 000017
【図１６】
2020151223.tif 000018
【図１７】
2020151223.tif 000019
【図１８】
2020151223.tif 000020
【図１９】
2020151223.tif 000021
【図２０】
2020151223.tif 000022
【図２１】
2020151223.tif 000023
【図２２】
2020151223.tif 000024
【図２３】
2020151223.tif 000025
【図２４】
2020151223.tif 000026
【図２５】
2020151223.tif 000027
【図２６】
2020151223.tif 000028
【図２７】
2020151223.tif 000029
【図２８】
2020151223.tif 000030
【図２９】
2020151223.tif 000031
【図３０】
2020151223.tif 000032
【図３１】
2020151223.tif 000033
【図３２】
2020151223.tif 000034
【図３３】
2020151223.tif 000035
【図３４】
2020151223.tif 000036
【図３５】
2020151223.tif 000037
【図３６】
2020151223.tif 000038
【図３７】
2020151223.tif 000039
【図３８】
2020151223.tif 000040
【図３９】
2020151223.tif 000041
【図４０】
2020151223.tif 000042
【図４１】
2020151223.tif 000043
【図４２】
2020151223.tif 000044
【図４３】
2020151223.tif 000045
【図４４】
2020151223.tif 000046
【図４５】
2020151223.tif 000047
【図４６】
2020151223.tif 000048
【図４７】
2020151223.tif 000049
【図４８】
2020151223.tif 000050
【図４９】
2020151223.tif 000051
【図５０】
2020151223.tif 000052
【図５１】
2020151223.tif 000053
【図５２】
2020151223.tif 000054
【図５３】
2020151223.tif 000055
【図５４】
2020151223.tif 000056
【図５５】
2020151223.tif 000057
【図５６】
2020151223.tif 000058
【図５７】
2020151223.tif 000059
【図５８】
2020151223.tif 000060
【図５９】
2020151223.tif 000061
【図６０】
2020151223.tif 000062